(57)【要約】【課題】放電管の端部に金属製のコネクタを取り付けた際に発生する浮遊容量を低減し、リーク電流による電力効率の低下を抑制する。【解決手段】放電管用コネクタは、ガラス管(21)の端部(21a)を包囲する金属製の筒体(1)と、筒体(1)の一端から筒体(1)の軸方向外側に延伸し且つリード(22)に電気的に接続される金属製の接続部(2)とを備え、筒体(1)に複数の開口部(14)又は径方向外側に突出するリッジ(15)が形成される。筒体(1)に複数の開口部(14)又はリッジ(15)を形成することにより、ガラス管(21)に対する筒体(1)の対向面積を低減できるので、ガラス管(21)内に充填される放電用ガス、ガラス管(21)及び筒体(1)間に発生する浮遊容量を低減することができる。【選択図】図１
2008010181.tif 000002
【特許請求の範囲】
【請求項１】
内部に閉鎖空間を形成するガラス管と、該ガラス管の閉鎖空間内の両端部に配置された一対の金属製の電極と、該電極にそれぞれ接続され且つ前記ガラス管の外側に導出される一対のリードとを備える放電管の端部に取り付けられる放電管用コネクタにおいて、
前記ガラス管の端部を包囲する金属製の筒体と、
該筒体の一端から該筒体の軸方向外側に延伸し且つ前記リードに電気的に接続される金属製の接続部とを備え、
前記筒体に複数の開口部又は径方向外側に突出するリッジを形成したことを特徴とする放電管用コネクタ。
【請求項２】
前記筒体は、前記ガラス管を介して前記電極を包囲する電極包囲部と、該電極包囲部から前記ガラス管の中央に向かって延伸する延伸包囲部とを備え、
前記電極包囲部及び延伸包囲部に複数の開口部又はリッジを形成した請求項１に記載の放電管用コネクタ。
【請求項３】
前記筒体に径方向内側に突出する複数のビードを形成した請求項１又は２に記載の放電管用コネクタ。
【請求項４】
放電管と、該放電管の端部に取り付けられる金属製のコネクタとを備え、
前記放電管は、内部に閉鎖空間を形成するガラス管と、該ガラス管の閉鎖空間内の両端部に配置された一対の金属製の電極と、該電極にそれぞれ接続され且つ前記ガラス管の外側に導出される一対のリードとを備えるコネクタ付き放電管において、
前記コネクタは、
前記ガラス管の端部を包囲する金属製の筒体と、
該筒体の一端から該筒体の軸方向外側に延伸し且つ前記リードに電気的に接続される金属製の接続部とを備え、
前記筒体に複数の開口部又は径方向外側に突出するリッジを形成したことを特徴とするコネクタ付き放電管。
【請求項５】
放電管と、該放電管の端部に取り付けられる金属製のコネクタと、該コネクタを把持して放電管を所定の位置に保持する金属製のホルダとを備え、
前記放電管は、内部に閉鎖空間を形成するガラス管と、該ガラス管の閉鎖空間内の両端部に配置された一対の金属製の電極と、該電極にそれぞれ接続され且つ前記ガラス管の外側に導出される一対のリードとを備える面光源装置において、
前記コネクタは、
前記ガラス管の端部を包囲する金属製の筒体と、
該筒体の一端から該筒体の軸方向外側に延伸し且つ前記リードに電気的に接続される金属製の接続部とを備え、
前記筒体に複数の開口部又は径方向外側に突出するリッジが形成され、
前記ホルダに前記コネクタを把持したとき、前記筒体に形成された少なくとも一部の開口部又はリッジに整合する開放穴を前記ホルダに形成したことを特徴とする面光源装置。
【発明の詳細な説明】
【技術分野】
【０００１】
放電管を構成するガラス管の端部に取り付けられる放電管用コネクタ、その放電管用コネクタを備えたコネクタ付き放電管及び面光源装置に関する。
【背景技術】
【０００２】
放電管（冷陰極蛍光放電管又はＣＣＦＬ）は、例えば、ＴＶモニター、ノートパソコン又は携帯電話等の表示装置の面光源装置（液晶バックライト光源）として使用されている。公知の放電管(20)は、図１３に示すように、アルゴン等の放電用ガス及び水銀（図示せず）を収容する閉鎖空間(23)を内部に形成するガラス管(21)と、カップ状に形成され且つガラス管(21)の閉鎖空間(23)内の両端部に配置された一対の金属製の電極(24)と、電極(24)にそれぞれ接続され且つガラス管(21)の外側に導出される一対の金属製のリード(22)と、ガラス管(21)の内面に被覆され且つ電極(24)の放電により発生する紫外線の照射を受けて発光する蛍光体層(25)とを備える。図示しないが、前述した表示装置では、液晶パネルの背面にガラス管(21)を把持する樹脂製のホルダを備え、ホルダにより放電管(20)を導光板に隣接して配置する。ガラス管(21)の両端部(21a)のリード(22)にハーネス線を半田により接続して、表示装置の電源装置から放電管(20)に電力が供給され、裏面側から液晶パネルに光を照射することができる。
【０００３】
これに対し、下記特許文献１は、ガラス管の端部に挿着され且つリードと電気的に接続される金属製のコネクタと、コネクタを挟持して放電管を所定の位置に保持する金属製のホルダとを開示する。また、下記特許文献２は、金属製のホルダにより放電管の端部に固定されたコネクタを挟持し、ホルダに電源回路を接続して放電管を点灯する光源装置を開示する。また、特許文献２は、本発明とは使用目的が異なるが、径方向内側に突出する一対の凸部を有するコネクタを開示する。特許文献１及び特許文献２の光源装置によれば、ホルダ及びコネクタを通じて、放電管の電極に電力を供給することができ、放電管と電源装置との接続作業性を向上することができる。
【０００４】
しかしながら、ガラス管(21)内に充填される放電用ガスは、放電管(20)が点灯しないとき、非電導体であるが、放電管(20)が点灯したとき、電導体となるため、誘電体であるガラス管(21)の外周面に隣接して金属製のコネクタ等の導電体を配置すると、ガラス管(21)内に充填される放電用ガス、ガラス管(21)及び筒体(1)間に浮遊容量（寄生容量）が発生した。放電管(20)には、電極(24)に１０００Vもの高電圧が印加されるものもあり、高周波放電により、放電管(20)を点灯した際に、浮遊容量に比例するリーク電流が発生する。その結果、放電管(20)を点灯するインバータ回路の電力効率が低下する問題があった。
【０００５】
下記特許文献３は、ガラス管の端部に付着される接着剤と、接着剤を介してガラス管の端部に固定され且つリードと電気的に接続される金属製のコネクタとを備える光源装置を開示する。放電管を点灯した際に、電極の先端部から僅かに離間する位置にプラズマ（陽光柱）が生じるが、特許文献３によれば、コネクタの開口部端がプラズマに向かい電極の先端部よりも延伸しないので、プラズマとコネクタとの間に浮遊容量が発生するのを防止することができる。
【０００６】
【特許文献１】実開昭６４−４８８５１号公報
【特許文献２】特開平３−２８５２３１号公報
【特許文献３】特許第３４６２３０６号公報
【発明の開示】
【発明が解決しようとする課題】
【０００７】
しかしながら、特許文献３に開示されるコネクタは、ガラス管の端部に挿着されるコネクタの軸方向の長さが従来のコネクタよりも短いため、ガラス管とコネクタとの間に接着剤を配置して、ガラス管の端部にコネクタを固定しなければならなかった。シリコン樹脂から成る接着剤は、放電管の点灯による加熱又は紫外線により劣化するおそれがあった。また、接着剤及びガラス管を介してコネクタに包囲される放電管の電極部分では、放電用ガス、ガラス管、接着剤及びコネクタ間に浮遊容量が発生し、十分に浮遊容量を減少することができなかった。
【０００８】
そこで、本発明は、ガラス管の端部に金属製のコネクタを取り付けることにより発生する浮遊容量を減少する放電管用コネクタ、コネクタ付き放電管及び面光源装置を提供することを目的とする。
【課題を解決するための手段】
【０００９】
本発明の放電管用コネクタは、内部に閉鎖空間(23)を形成するガラス管(21)と、ガラス管(21)の閉鎖空間(23)内の両端部に配置された一対の金属製の電極(24)と、電極(24)にそれぞれ接続され且つガラス管(21)の外側に導出される一対のリード(22)とを備える放電管(20)の端部(21a)に取り付けられる。放電管用コネクタは、ガラス管(21)の端部(21a)を包囲する金属製の筒体(1)と、筒体(1)の一端から筒体(1)の軸方向外側に延伸し且つリード(22)に電気的に接続される金属製の接続部(2)とを備え、筒体(1)に複数の開口部(14)又は径方向外側に突出するリッジ(15)が形成される。筒体(1)に複数の開口部(14)又はリッジ(15)を形成することにより、ガラス管(21)に対する筒体(1)の対向面積を低減できるので、ガラス管(21)内に充填される放電用ガス、ガラス管(21)及び筒体(1)間に発生する浮遊容量を低減することができる。また、ガラス管(21)の中央に向かい筒体(1)を電極(24)より延伸させても、複数の開口部(14)又はリッジ(15)により浮遊容量の増加を抑制できる。
【００１０】
本発明のコネクタ付き放電管は、放電管(20)と、放電管(20)の端部(21a)に取り付けられる金属製のコネクタ(10)とを備える。放電管(20)は、内部に閉鎖空間(23)を形成するガラス管(21)と、ガラス管(21)の閉鎖空間(23)内の両端部に配置された一対の金属製の電極(24)と、電極(24)にそれぞれ接続され且つガラス管(21)の外側に導出される一対のリード(22)とを備える。コネクタ(10)は、ガラス管(21)の端部(21a)を包囲する金属製の筒体(1)と、筒体(1)の一端から筒体(1)の軸方向外側に延伸し且つリード(22)に電気的に接続される金属製の接続部(2)とを備え、筒体(1)に複数の開口部(14)又は径方向外側に突出するリッジ(15)が形成される。放電用ガス、ガラス管(21)及び筒体(1)間に発生する浮遊容量を低減して、放電管(20)の消費電力を低減することができる。
【００１１】
本発明の面光源装置は、放電管(20)と、放電管(20)の端部(21a)に取り付けられる金属製のコネクタ(10)と、コネクタ(10)を把持して放電管(20)を所定の位置に保持する金属製のホルダ(30)とを備える。放電管(20)は、内部に閉鎖空間(23)を形成するガラス管(21)と、ガラス管(21)の閉鎖空間(23)内の両端部に配置された一対の金属製の電極(24)と、電極(24)にそれぞれ接続され且つガラス管(21)の外側に導出される一対のリード(22)とを備える。コネクタ(10)は、ガラス管(21)の端部(21a)を包囲する金属製の筒体(1)と、筒体(1)の一端から筒体(1)の軸方向外側に延伸し且つリード(22)に電気的に接続される金属製の接続部(2)とを備え、筒体(1)に複数の開口部(14)又は径方向外側に突出するリッジ(15)が形成される。ホルダ(30)にコネクタ(10)を把持したとき、筒体(1)に形成された少なくとも一部の開口部(14)又はリッジ(15)に整合する開放穴(37)がホルダ(30)に形成される。電源装置に接続された金属製のホルダ(30)に放電管用コネクタの筒体(1)を取り付けて、電源装置からホルダ(30)、筒体(1)、接続部(2)を通じて放電管(20)のリード(22)に電力を供給し、放電管(20)を点灯することができる。ホルダ(30)によりコネクタ(10)を把持したときに、筒体(1)に形成した少なくとも一部の開口部(14)に整合する開放穴(37)は、筒体(1)により覆われるガラス管(21)を外部に開放する。よって、筒体(1)の開口部(14)がホルダ(30)により閉塞されず、放電用ガス、ガラス管(21)及びコネクタ(10)間に発生する浮遊容量を低減することができる。また、ホルダ(30)の開放穴(37)にリッジ(15)を整合して、開放穴(37)からリッジ(15)を外部に開放することができる。筒体(1)のリッジ(15)がホルダ(30)に当接せず、ホルダ(30)によりコネクタ(10)を容易且つ確実に把持することができる。
【発明の効果】
【００１２】
本発明の放電管用コネクタ、コネクタ付き放電管及び面光源装置によれば、放電管の端部に金属製のコネクタを取り付けた際に発生する浮遊容量を低減することにより、リーク電流による電力効率の低下を防止することができる。
【発明を実施するための最良の形態】
【００１３】
表示装置のバックライトに使用される冷陰極蛍光放電管に適用した本発明による放電管用コネクタ、コネクタ付き放電管及び面光源装置の実施の形態を図１〜図１２について以下説明する。図面の放電管(20)は、図１３に示す放電管と同一であり、同一の符号を付すと共に、説明を省略する。
【００１４】
図１に示すように、本実施の形態のコネクタ(10)は、ガラス管(21)の端部(21a)を包囲する中空の筒体(1)及び接続部(2)により形成され、接続部(2)は、筒体(1)の一端(1a)から筒体(1)の軸方向外側に延伸する帯状の導出部(3)と、導出部(3)の先端(2a)から折曲して形成された折曲部(4)とを備える。コネクタ(10)を構成する筒体(1)及び接続部(2)は、燐青銅等の弾性に優れる金属により一体に形成され、ニッケルによりめっき処理される。アルミニウム又はアルミニウム合金によりコネクタ(10)を形成してもよい。筒体(1)は、図２に示すように、ガラス管(21)を筒体(1)内の所定の位置に保持すると共に、変形に対する機械的強度を増加するため、径方向内側に突出する複数の半球状のビード（凹部）(11)を有し、ガラス管(21)の端部(21a)に筒体(1)を装着するとき、ビード(11)の頂上部がガラス管(21)の外周面(21b)に接触して、互いに固定される。更に、ビード(11)が設けられない筒体(1)の内周面(1b)とガラス管(21)の端部(21a)との間に間隙(12)を形成する。径方向内側に突出して筒体(1)と一体に形成されるストッパ(16)が筒体(1)の一端(1a)に設けられ、ガラス管(21)に筒体(1)を取り付けるとき、ガラス管(21)の端部(20a)がストッパ(16)に当接する。
【００１５】
本実施の形態では、図２及び図３に示すように、筒体(1)の周方向に４つのビード(11)及び長さ方向に３つのビード(11)を形成して、合計１２個のビード(11)を設けるが、ビード(11)の数、位置、大きさ及び形状は、筒体(1)の大きさ等の条件により適宜に変更できる。筒体(1)は、合口部(17)を有する間欠環状に形成され、所定の径寸法から拡径させてガラス管(21)に装着したとき、縮径弾性力を有する。よって、筒体(1)は、ガラス管(21)の外周面(21b)にビード(11)を確実に当接した状態で、ガラス管(21)の端部(21a)に保持される。ガラス管(21)の端部(21a)に筒体(1)を取り付けたとき、ビード(11)により筒体(1)とガラス管(21)とが離間し、筒体(1)とガラス管(21)との間に間隙(12)による空洞（空気層）が形成される。
【００１６】
浮遊容量の大きさは、放電用ガスと筒体(1)との間に配置される誘電体の誘電率に比例し、放電用ガスと筒体(1)との離間距離に反比例する。従来のコネクタでは、誘電率３.７〜１０.０程度のガラス管と誘電率３.５〜５.０程度のシリコン樹脂から成る接着剤が放電用ガスとコネクタとの間に配置されるが、本実施の形態のコネクタ(10)では、放電用ガスとコネクタとの間にガラス管(21)に隣接して誘電率１.０程度の空気層を形成すると共に、ビード(11)により筒体(1)とガラス管(21)とを離間するので、放電管(20)にコネクタ(10)を取り付けることにより発生する浮遊容量を従来よりも抑制することができる。筒体(1)とガラス管(21)との離間距離は、放電管(20)を点灯するインバータ回路に要求される電力効率に応じて適宜に決定されるが、筒体(1)の内周面とガラス管(21)の外周面(21b)との離間距離を大きくするに従って、放電用ガス、ガラス管(21)及び筒体(1)間に発生する浮遊容量が低下し、電力効率を向上することができる。
【００１７】
図４に示すように、導出部(3)は、筒体(1)及び折曲部(4)に対して幅狭に形成され、筒体(1)の軸方向に延伸する帯状の平面形状を有している。このため、導出部(3)は、その延伸方向に対して垂直方向の断面図が小さく、可撓性を有しており、その上面方向又は下面方向に容易に撓む。本実施の形態では、導出部(3)の厚さは、折曲部(4)と共に、筒体(1)の厚さと同一であるが、導出部(3)の幅及び長さは、導出部(3)に要求される可撓性の程度に応じて、適宜に決定される。図１及び図４に示すように、折曲部(4)は、筒体(1)の中心軸の延長上に中心軸を有し且つ放電管(20)のリード(22)の断面の径より大きな径を有する円形の貫通孔(13)を備える。ガラス管(21)の端部(21a)に筒体(1)を取り付けたとき、ガラス管(21)の端部(21a)から延伸するリード(22)が折曲部(4)の貫通孔(13)を挿通して配置される。
【００１８】
コネクタ(10)は、筒体(1)に円形に形成された複数の開口部(14)を有し、開口部(14)は、ガラス管(21)の外周面(21b)を外部に露出する。開口部(14)は、ビード(11)とビード(11)との間に拡散して形成され、筒体(1)の機械的強度が部分的に著しく低下するのを防止する。本実施の形態では、図２に示すように、筒体(1)の対向する各側面に７つの開口部(14)及び底面に３つの開口部(14)を形成して、合計１７個の開口部(14)を設けるが、開口部(14)の数、大きさ及び形状は、筒体(1)の大きさ及び強度等の条件により適宜に変更できる。放電用ガス、ガラス管(21)及び筒体(1)間に発生する浮遊容量は、ガラス管(21)に対向する筒体(1)の表面積に比例し、ガラス管(21)と筒体(1)との距離に反比例する。筒体(1)に複数の開口部(14)を形成することにより、ガラス管(21)に対する筒体(1)の対向面積を低減できるので、浮遊容量を低減することができる。また、ガラス管(21)の中央に向かうに従い筒体(1)の開口部(14)の総面積を拡大又はビード(11)をより深く形成して筒体(1)とガラス管(21)との離間距離を大きくすることにより、ガラス管(21)の中央に向かい筒体(1)を電極(24)より延伸させても、複数の開口部(14)により浮遊容量の増加を抑制できる。よって、従来のコネクタのように、ガラス管とコネクタとを接着剤により固定する必要がなく、軸方向に十分な長さを有する筒体(1)により、確実にガラス管(21)の端部(21a)にコネクタ(10)を挿着して固定することができる。
【００１９】
図１に示すように、筒体(1)は、ガラス管(21)を介して電極(24)を包囲する電極包囲部(7)と、電極包囲部(7)からガラス管(21)の中央に向かって延伸する延伸包囲部(8)とを備える。本実施の形態では、開口部(14)を筒体(1)全体に拡散して形成したが、開口部(14)は、少なくとも電極包囲部(7)及び延伸包囲部(8)に形成される。電極包囲部(7)と共に、電極包囲部(7)からガラス管(21)の中央に向かって延伸する延伸包囲部(8)に複数の開口部(14)を形成することで、電極(24)の先端部(24a)で生じるプラズマにより発生する浮遊容量を効果的に低減することができる。本実施の形態のコネクタ(10)では、開口部(14)とビード(11)との相乗効果により、放電管(20)にコネクタ(10)を取り付けることによって発生する浮遊容量を大幅に減少できる。
【００２０】
コネクタ(10)を製造する際に、図５に示すように、プレス成形により金属板から接続部(2)、ストッパ(16)、ビード(11)及び開口部(14)等が一体に形成された板部材(6)を形成する。次に、曲げ加工により板部材(6)を環状に曲げて、筒体(1)を形成し、折曲部(4)及びストッパ(16)を折曲させて、図６に示すコネクタ(10)が形成される。放電管(20)にコネクタ(10)を取り付けて、コネクタ付き放電管(10,20)を組み立てるとき、ガラス管(21)の端部(21a)にコネクタ(10)の筒体(1)を取り付け、導出部(3)を放電管(20)のリード(22)と並行に配置して、折曲部(4)の貫通孔(13)内にリード(22)を挿通させる。このとき、ガラス管(21)の端部(20a)がストッパ(16)に当接するまで、筒体(1)の他端(1c)から放電管(20)を挿入する。ストッパ(16)は、筒体(1)内で放電管(20)の位置決めを行う。次に、接続部(2)の折曲部(4)とリード(22)とを半田等のろう材(5)により固着し、コネクタ(10)と放電管(20)のリード(22)とを電気的に接続する。
【００２１】
コネクタ付き放電管(10,20)により面光源装置(10,20,30)を組み立てる際に、図示しない表示装置を構成する液晶パネルの背面で導光板に隣接して金属製のホルダ(30)が配置される。図７に示すように、面光源装置(10,20,30)は、放電管(20)と、放電管(20)の端部(21a)に取り付けられるコネクタ(10)と、コネクタ(10)を把持して放電管(20)を所定の位置に保持するホルダ(30)とを備える。ホルダ(30)は、コネクタ(10)と同様の導電性の高い金属により形成され、配線を通じて表示装置の電源装置に接続される。ホルダ(30)は、筒体(1)と同様に、合口部(35)を有する間欠環状に形成され、所定の径寸法から拡径させてコネクタ(10)の筒体(1)を装着したとき、縮径弾性力を有する。ホルダ(30)は、支持部(31)と、支持部(31)と一体に形成された一対の挟持部(32)とを備え、支持部(31)は、図示しない表示装置に固定される。挟持部(32)は、コネクタ(10)の筒体(1)を挟持する湾曲面を有し、筒体(1)を押圧すると、挟持部(32)は、互いに離間する方向に移動し、その後、弾力性により回復してコネクタ付き放電管(10,20)を把持する。
【００２２】
図７及び図８に示すように、ホルダ(30)は、コネクタ(10)を把持したとき、筒体(1)に形成された少なくとも一部の開口部(14)に整合する開放穴(37)を有する。ホルダ(30)によりコネクタ(10)を把持したときに、筒体(1)の開口部(14)に整合する開放穴(37)は、筒体(1)により覆われるガラス管(21)を外部に開放するので、筒体(1)の開口部(14)がホルダ(30)により閉塞されず、放電用ガス、ガラス管(21)及びホルダ(30)により浮遊容量が発生するのを防止することができる。本実施の形態では、ホルダ(30)に長方形に形成された一対の開放穴(37)により、筒体(1)の各側面に形成された７つの開口部(14)が開放されて外部に露出する。
【００２３】
図示しないが、コネクタ(10)は、ガラス管(21)の両端部(21a)に一対に取り付けられる。ホルダ(30)の挟持部(32)により筒体(1)を挟持して、ホルダ(30)とコネクタ(10)とを電気的に接続し、表示装置の電源装置からホルダ(30)、筒体(1)及び接続部(2)を通じて放電管(20)のリード(22)に電力を供給して、放電管(20)を点灯することができる。
【００２４】
本発明の実施の形態は、図１〜図８に示す実施の形態に限定されず、変更が可能である。例えば、図９のコネクタ(40)に示すように、開口部(14)に代えて筒体(1)に径方向外側に突出する複数のリッジ（凸部）(15)を形成してもよい。リッジ(15)は、筒体(1)の一部が外部に湾曲する半球状に形成され、ガラス管(21)の端部(21a)に筒体(1)を取り付けたとき、リッジ(15)が形成された筒体(1)の一部とガラス管(21)との距離が大きく離間する。よって、開口部(14)と同様に、コネクタ(40)により発生する浮遊容量を減少することができる。筒体(1)に開口部(14)を設けると、コネクタ(10)を製造する際に、開口部(14)による金属板の残渣が発生するが、開口部(14)に代えて貫通孔を有さないリッジ(15)を形成することにより、残渣を生じずにコネクタ(40)を形成できる。また、複数のリッジ(15)を形成することにより、筒体(1)の機械的強度を増加できる。図示しないが、ホルダ(30)によりコネクタ(40)を把持したとき、リッジ(15)によりホルダ(30)とコネクタ(40)とが離間し、ホルダ(30)とコネクタ(40)との間にも間隙が形成される。よって、ホルダ(30)に開放穴(37)を形成せずに、放電用ガス、ガラス管(21)及びホルダ(30)により浮遊容量が発生するのを防止することができる。しかしながら、ホルダ(30)によりコネクタ(40)を把持したときに、ホルダ(30)の開放穴(37)にリッジ(15)を整合して、開放穴(37)からリッジ(15)を外部に開放してもよい。筒体(1)のリッジ(15)がホルダ(30)に当接して阻害することがなく、ホルダ(30)によりコネクタ(40)を容易且つ確実に把持できる。リッジ(15)は、半球状に限定されず、筒体(1)の長さ方向に線状に又は周方向に環状に連続して形成してもよい。
【００２５】
図１０のコネクタ(50)に示すように、ビード(11)の頂上部に開口部(14)を形成してもよい。ガラス管(21)の外周面(21b)に接触するビード(11)の頂上部に開口部(14)を形成することにより、ガラス管(21)に対する筒体(1)の対向面積をより低減して、更に浮遊容量を低減することができる。図１１のコネクタ(60)に示すように、電極包囲部(7)及び延伸包囲部(8)に共通する開口部(14)を筒体(1)に形成してもよい。コネクタ(60)の筒体(1)は、前述したコネクタ(10)に対して比較的大きく且つ長方形に形成された一対の開口部(14)を有する。図１２に示すように、コネクタ(60)の開口部(14)により、電極(24)と電極(24)の先端部(24a)から僅かに離間するガラス管(21)の閉鎖空間(23)の一部がコネクタ(60)から開放される。図示しないが、筒体(1)の開口部(14)は、筒体(1)の縁部又は隅部に沿って切欠状に形成してもよい。また、接続部(2)が形成される筒体(1)の一端(1a)よりも電極(24)の先端部(24a)に隣接する筒体(1)の他端(1c)に多数の開口部(14)を形成してもよい。電極(24)の先端部(24a)に隣接して発生する浮遊容量をより低減することができる。更に、メッシュ状の金属により筒体(1)を形成して、ガラス管(21)に対する筒体(1)の対向面積を大幅に低減してもよい。
【産業上の利用可能性】
【００２６】
本発明は、例えば、液晶ディスプレイのバックライト等の光源装置に使用される冷陰極蛍光放電管に良好に適用できる。
【図面の簡単な説明】
【００２７】
【図１】本発明によるコネクタ付き放電管の一実施の形態を示す断面図
【図２】図１のコネクタを示す断面図
【図３】図１のコネクタを示す別の断面図
【図４】図１のコネクタを示す平面図
【図５】図１のコネクタを形成する板部材を示す平面図
【図６】図１のコネクタを示す斜視図
【図７】ホルダに図１のコネクタ付き放電管を取り付ける工程を示す斜視図
【図８】ホルダに保持された図１のコネクタ付き放電管の側面図
【図９】筒体にリッジを有する図１のコネクタ付き放電管を示す断面図
【図１０】ビードに開口部を有する図１のコネクタ付き放電管を示す断面図
【図１１】筒体に一対の開口部を有する図１のコネクタ付き放電管の斜視図
【図１２】図１１の断面図
【図１３】従来の放電管を示す断面図
【符号の説明】
【００２８】
(1)・・筒体、  (2)・・接続部、  (7)・・電極包囲部、  (8)・・延伸包囲部、  (10)・・コネクタ、  (11)・・ビード、  (14)・・開口部、  (15)・・リッジ、  (20)・・放電管、  (21)・・ガラス管、  (21a)・・端部、  (22)・・リード、  (23)・・閉鎖空間、  (24)・・電極、  (30)・・ホルダ、
【図１】
2008010181.tif 000003
【図２】
2008010181.tif 000004
【図３】
2008010181.tif 000005
【図４】
2008010181.tif 000006
【図５】
2008010181.tif 000007
【図６】
2008010181.tif 000008
【図７】
2008010181.tif 000009
【図８】
2008010181.tif 000010
【図９】
2008010181.tif 000011
【図１０】
2008010181.tif 000012
【図１１】
2008010181.tif 000013
【図１２】
2008010181.tif 000014
【図１３】
2008010181.tif 000015